(57)【要約】【課題】簡単な構成で平面上の任意の位置を広範囲に照明でき、これにより、コスト低減が可能な照明器具を提供する。【解決手段】ガイド部１１と、ガイド部１１に回動自在、かつガイド部１１の長手方向に移動自在に設けられた移動部１２と、ガイド部１１と移動部１２との間に設けられ、移動部１２の回動に伴って移動部１２を長手方向に移動させる回動移動手段１３と、中心部が支持軸部１１に揺動自在に取り付けられると共に、端部が移動部１２に揺動自在に取り付けられた発光部１４と、移動部１２を回動させる駆動部１５と、を備える。【選択図】図１
2012028217.tif 000002
【特許請求の範囲】
【請求項１】
支持軸部と
前記支持軸部に回動自在、かつ前記支持軸部の長手方向に移動自在に設けられた移動部と、
前記支持軸部と前記移動部との間に設けられ、前記移動部の回動に伴って前記移動部を前記長手方向に移動させる回動移動手段と、
中心部が前記支持軸部に揺動自在に取り付けられると共に、端部が前記移動部に揺動自在に取り付けられた発光部と、
前記移動部を回動させる駆動部と、
を備える照明器具。
【請求項２】
請求項１の照明器具において、
前記回動移動手段は、前記支持軸部の外周面に設けられた雄ねじと、前記移動部の内周面に設けられた雌ねじとを有する照明器具。
【発明の詳細な説明】
【技術分野】
【０００１】
本発明は、照明器具に関する。
【背景技術】
【０００２】
従来より、スポットライトの照射方向を、２個のモータによって変更する照明器具が知られている（例えば、特許文献１参照）。この照明器具は、２個のモータのうち一方のモータによって、スポットライトを水平方向に回動させ、他方のモータによって上下方向に首振り回動させることにより、平面上の任意の位置を照射できる。
【先行技術文献】
【特許文献】
【０００３】
【特許文献１】特開平７−５７５０２号公報（請求項１、段落００１９、図１）
【発明の概要】
【発明が解決しようとする課題】
【０００４】
しかしながら、従来の特許文献１の照明器具は、２個のモータが必要になるため、構成が複雑になり、コスト高になるという問題があった。
【０００５】
本発明は、前述した課題を解決するためになされたものであり、簡単な構成で平面上の任意の位置を広範囲に照明でき、これにより、コスト低減が可能な照明器具を提供することにある。
【課題を解決するための手段】
【０００６】
本発明の照明器具は、支持軸部と、支持軸部に回動自在、かつ支持軸部の長手方向に移動自在に設けられた移動部と、支持軸部と移動部との間に設けられ、移動部の回動に伴って移動部を長手方向に移動させる回動移動手段と、中心部が支持軸部に揺動自在に取り付けられると共に、端部が移動部に揺動自在に取り付けられた発光部と、移動部を回動させる駆動部と、を備える。
【０００７】
ここで、回動移動手段は、支持軸部の外周面に設けられた雄ねじと、移動部の内周面に設けられた雌ねじとを有する。
【発明の効果】
【０００８】
本発明によれば、駆動部によって移動部を回動させることにより、移動部が回動移動手段によって上下移動し、発光部が傾斜すると同時に旋回する。従って、駆動部にモータを一個だけ備えればよいので、構成を簡略化できると共に、平面上の任意の位置を広範囲に照明できる。これにより、コストダウンが可能になる。
【図面の簡単な説明】
【０００９】
【図１】本発明に係る実施形態の照明器具を示す正面図
【図２】図１のＡ−Ａ断面図
【図３】発光部が左上がりに傾斜した状態を示す正面図
【図４】発光部が左上がりに傾斜した状態における照明部を示す図
【図５】発光部が右上がりに傾斜した状態を示す正面図
【図６】照明部の移動軌跡を示す図
【図７】ピッチを狭くした場合の照明部の移動軌跡を示す図
【図８】照明範囲を狭くした場合の照明部の移動軌跡を示す図
【発明を実施するための形態】
【００１０】
以下、本発明に係る実施形態の照明器具について、図面を参照して説明する。
図１は、本発明に係る実施形態の照明器具１０を示す。この照明器具１０は、支持軸部であるガイド部１１と、ガイド部１１に回動自在、かつ上下移動自在に設けられた移動部１２と、ガイド部１１と移動部１２との間に設けられ、移動部１２の回動に伴って移動部１２を上下移動させる回動移動手段１３と、中心部がガイド部１１に揺動自在に取り付けられると共に、端部が移動部１２に揺動自在に取り付けられた発光部１４と、移動部１２を回動させる駆動部１５と、を備えている。
【００１１】
次に、上記各構成要素について説明する。ガイド部１１は、上端が天板２０に取り付けられた雄ねじ２１と、雄ねじ２１の下端に設けられ上下に延びる長尺な支持部２２とを有している。移動部１２は、筒状に形成されている。移動部１２の内周面には、図２に示すように、雄ねじ２１に螺合された雌ねじ２３が設けられている。雄ねじ２１と雌ねじ２３とによって、上記回動移動手段１３が構成されている。移動部１２の外周面には、ウォームホイール２４が設けられている。
【００１２】
発光部１４は、図１に示すように、光源３１と、光源３１を覆う有底筒状のカバー３２と、光源３１から放射された光を集光する光学部材３３と、発光部１４の中心部および端部を、ガイド部１１および移動部１２に揺動自在に連結する連結部３４とを有している。
【００１３】
光源３１は、白熱電球、ハロゲン電球、高輝度放電灯、ＬＥＤ（発光ダイオード）等の一般的な光源を用いることができる。光源３１を点灯するための点灯回路も一般的な回路を使用できる。光学部材３３は、例えば、レンズ、反射板等を用いることができる。
なお、レンズは、アクリルやポリカーボネイト等の樹脂やガラス等を成形することにより作成できる。反射板は、例えば、アルミ板を絞り加工して作成できる。上記は例示であり、これに限定されるものではない。
【００１４】
連結部３４は、正面視において細長いキャップ状に形成されている。この連結部３４は、カバー３２の上に固定されている。この連結部３４におけるカバー３２の略中心に対応する部分は、ガイド部１１における支持部２２の下端に揺動自在に取り付けられている。本実施形態では、連結部３４に孔３４Ａが設けられ、この孔３４Ａに孔３４Ａの直径より小径の支持部２２が挿入されている。支持部２２には、連結部３４の上下に位置するストッパー３５，３５が設けられている。これにより、発光部１４は、支持部２２によって、中心部の高さが変わらず、かつ揺動自在に支持されている。
【００１５】
連結部３４の一端には、カバー３２から側方に突出する突出部３４Ｂが設けられている。この突出部３４Ｂは、移動部１２の外周面から下方に延びる二段の階段状のヒンジ部３６の下端部に、中心軸３４Ｃによって揺動自在に連結されている。
【００１６】
駆動部１５は、天板２０に固定されたモータ４０と、モータ４０によって回動されるウォームギヤ４１とを有している。ウォームギヤ４１は、図２に示すように、ガイド部１１のウォームホイール２４に噛合されている。モータ４０により、ウォームギヤ４１が回動され、更にウォームホイール２４すなわち移動部１２が回動される。
【００１７】
次に、この照明器具１０の作用を説明する。図1に示すように、発光部１４が水平状態の場合を基準状態と呼ぶ。この基準状態から、駆動部１５によって移動部１２を回動させると、移動部１２が回動しつつガイド部１１に沿って上下移動する。移動部１２が上方に移動した場合は、図３に示すように、ヒンジ部３６も上昇するため、発光部１４におけるヒンジ部３６に取り付けられている一端部が上昇し、発光部１４が揺動する。
【００１８】
この際、発光部１４の中心部は高さが変わらないため、発光部１４は上下方向に傾斜する。このように、発光部１４が図３中の左上がりに傾斜した状態では、図４に示すように、発光部１４によって、発光部１４の左斜め下方の平面上の所定の照射部Ｈが照射される。
【００１９】
図５は、移動部１２が図３の状態から更に１８０度回動し、移動部１２が上方に移動した状態を示す。この状態では、発光部１４が右上がりに傾斜し、発光部１４の右斜め下方が照射される。
【００２０】
移動部１２が、回動しながら上下移動することにより、発光部１４が旋回しながら、傾斜方向および傾斜角度が連続的に変化する。これにより、発光部１４の照射部Ｈは、図６に示すように、渦巻きパターンＳ上を連続的に移動する。
【００２１】
ここで、回動移動手段１３における雄ねじ２１および雌ねじ２３の歯間のピッチを大きくすることにより、渦巻きパターンＳのピッチＰを比較的広くできる。また、雄ねじ２１および雌ねじ２３の歯間のピッチを小さくすることにより、図７に示すように、渦巻きパターンＳにおけるピッチＰを比較的狭くできる。
【００２２】
また、図８に示すように、照明器具１０による照明範囲、すなわち、渦巻きパターンＳの全体の大きさを小さくする場合は、移動部１２の上下移動距離を短くする。更に、渦巻きパターンＳの全体の大きさを大きくする場合は、移動部１２の上下移動距離を長くする。
【００２３】
この照明器具１０によれば、駆動部１５の一個のモータ４０により、移動部１２を回動および上下移動させることができ、これにより、平面上の任意の位置を比較的広い範囲で照明できる。従って、部品点数を削減でき、これによりコスト低減が可能になる。
【００２４】
また、回動移動手段１３は、雄ねじ２１と、雌ねじ２３とによって構成できるので、構成を更に簡略化できる。
【符号の説明】
【００２５】
１０  照明器具
１１  ガイド部（支持軸部）
１２  移動部
１３  回動移動手段
１４  発光部
１５  駆動部
２１  雄ねじ
２３  雌ねじ
【図１】
2012028217.tif 000003
【図２】
2012028217.tif 000004
【図３】
2012028217.tif 000005
【図４】
2012028217.tif 000006
【図５】
2012028217.tif 000007
【図６】
2012028217.tif 000008
【図７】
2012028217.tif 000009
【図８】
2012028217.tif 000010